(57)【特許請求の範囲】
【請求項１】
一方のバンドが挿通される挿通枠と、
この挿通枠に対して一方のバンドを係止する係止部材と、
前記挿通枠と他方のバンドとの間に連結され、前記挿通枠に対して折り畳まれ、かつ拡開される折り畳み部と、
この折り畳み部を折り畳んだ状態で保持する錠止手段と、
を備える中留であって、
前記挿通枠は、一方のバンドの開放端が挿入される入口と、前記一方のバンドの開放端が外方に送出される出口と、前記挿通枠の内部における入口と出口との間に配置される案内部材と、を含み、
前記係止部材が前記一方のバンドの下方に位置して、前記一方のバンドの下面に当接して係合し、
前記案内部材が、前記入口から前記出口へと通過する前記一方のバンドを前記挿通枠と前記折り畳み部との枢軸部に突き当たらないように案内する帯状装身具の中留。
【請求項２】
請求項１に記載の帯状装身具の中留であって、
前記挿通枠は、上部を覆う天井壁と、この天井壁から一方のバンドを挟んで対向するように垂下する２つの側壁とを備え、
この挿通枠の内側に前記係止部材と前記案内部材が配置される帯状装身具の中留。
【請求項３】
請求項１または２に記載の帯状装身具の中留であって、
前記挿通枠の前記入口は前記出口より上方に位置し、
前記挿通枠の前記出口は前記折り畳み部の下方に開口し、
前記案内部材は、前記入口から前記出口に向かう方向に沿って、下方に向けて傾斜する面を有する部材である帯状装身具の中留。
【請求項４】
請求項１から３のいずれか１項に記載の帯状装身具の中留であって、
前記案内部材が、前記挿通枠の内部に回転可能に取り付けられ、
前記一方のバンドが前記挿通枠に挿通されていない状態において、前記案内部材が前記係止部材の上部に当接する帯状装身具の中留。
【請求項５】
請求項１から４のいずれか１項に記載の帯状装身具の中留であって、
前記係止部材は、一方のバンドと当接する当接部を含み、
前記案内部材が、前記係止部材の当接部を覆うように、前記係止部材に当接する帯状装身具の中留。
【請求項６】
請求項１から５のいずれか１項に記載の帯状装身具の中留であって、
前記案内部材が、前記折り畳み部の下板と前記挿通枠とを連結する連結ピンによって、挿通枠に回転可能に取り付けられる帯状装身具の中留。
【請求項７】
請求項１から６のいずれか１項に記載の帯状装身具の中留であって、
前記係止部材が前記挿通枠に回転可能に取り付けられ、
前記挿通枠の入口が、前記挿通枠の天井板と係止部材との間の隙間であり、
前記一方のバンドが前記挿通枠に挿通されていない状態において、前記係止部材は自重によって回転して、前記挿通枠の入口を塞がないように前記挿通枠にぶら下がる帯状装身具の中留。
【発明の詳細な説明】
【技術分野】
【０００１】
本発明は、たとえばブレスレットや腕時計などのように、身体に巻回されて装着される帯状装身具、およびそれに用いられる中留に関する。
【背景技術】
【０００２】
身体に巻回される帯状装身具には、様々な中留が用いられる。たとえば、帯状装身具の１つである腕時計では、二つ折れ中留、三つ折れ中留、あるいは観音開き中留のような折り畳み型の中留が多用されている。そして、このような折り畳み型中留では、様々な手首の太さに合わせて腕時計の周長を調節できるように、使用者が簡単にバンドの長さを調整できる中留が検討されてきた。
【０００３】
たとえば、中留は一方のバンドが挿通される挿通枠を備え、さらにこの挿通枠と他方のバンドとの間に配置されて、挿通枠に対して折り畳まれたり、拡開されたりする折り畳み部が備えられた中留が知られている。この挿通枠には、一方のバンドを多くの箇所で挿通枠に係止する係止手段を備える（たとえば、特許文献１参照）。
このような中留のおおまかな構造は、図１６及び図１７に示される。
【０００４】
この図によれば、中留は、略Ｕ字型を成して、上方に開口する枠体である挿通枠１を備える。この挿通枠に、下板２の一端が回転可能に連結される。この下板２の他端に、中板３の一端が回転可能に連結され、さらに中板の他端に、表カバー４が回転可能に連結される。これら下板、中板、および表カバーとで、挿通枠に対して折り畳まれたり、あるいは拡開されたりする折り畳み部５が構成される。
【０００５】
一方のバンド６を挿通枠１に係止する係止手段は、側面視L形の板状の係止部材７を含む。
この係止部材７は、突出ピン８により挿通枠１に回転可能に連結される。係止部材の一端には、一方のバンド６に当接して係合する当接部１０が形成される。この当接部１０として、鋸歯状凹凸が連続した係止歯１１が突出して形成される。
他方のバンド１２は、折り畳み部５の表カバー４に連結される。折り畳み部を挿通枠１に折り畳むと、表カバーと中板の連結円筒部１３が、下板２から突出した係止爪１４に係合され、中留が閉じた状態で錠止される。
【０００６】
一方のバンド６は、挿通枠１の底板と係止部材７との間に形成された入口１５から挿入される。一方のバンドは、さらに挿通枠と下板２との連結部と、底板との間に形成された出口１６から送出され、下板の下方まで引き出される。
ここで、係止部材７を図１６の矢印の方向に沿って回転させると、係止部材の係止歯１１が、一方のバンドの上面に食い込む。一方のバンドは、挿通枠の底板と係止歯との間に挟持されて、挿通枠に係止される。
図中の矢印とは反対方向に係止部材を回転させれば、係止部材の係止歯１１が、一方のバンドの上面から離間する。すると、一方のバンドは、挿通枠に対して、バンドの長手方向に沿って移動できるようになる。さらに、一方のバンドは、挿通枠から抜脱できるようになる。
なお、ここで上下とは、参照した図面における上下方向に準ずる。
【０００７】
使用者は、挿通枠に挿通された一方のバンド６を、バンドの長手方向に沿って移動させ、腕時計の周長を調節する。そして、使用者は、腕時計の周長が自分の手首の太さに合ったところで、係止部材７を回転させて、一方のバンドを挿通枠に係止する。
このように、この中留は、使用者にとって、何度でもバンドの長さが調整できるという利点がある。
【０００８】
また、上記した従来例では、折り畳み部と挿通枠とが別体であるが、折り畳み部の下板に挿通枠を一体に形成した中留もすでに知られている（たとえば、特許文献２参照）。この場合、一体化した下板を含めて挿通枠とされ、中板と表カバーが折り畳み部となる。
さらに、表カバーが排除され、他方のバンドが中板に直接連結される場合もある。この場合、折り畳み部は、下板と中板から構成される。
【０００９】
【特許文献１】実公昭５６−３３３６６号公報（第１〜３頁、第１〜１２図）
【特許文献２】実開昭６０−１８２８１９号公報（第１〜８頁、第１〜２８図）
【発明の開示】
【発明が解決しようとする課題】
【００１０】
しかしながら、前述した従来の中留においては、下記のような問題がある。
（課題１）
係止歯１１が一方のバンド６の上面に食い込むので、一方のバンドの上面に傷が発生する。そして、使用者がバンドの長さを調整し直す度に、バンドの上面における異なる位置に、多くの傷が発生する。
さらに、食い込んだ係止歯を一方のバンドから離間させるためには、使用者は、ドライバーやピンセットなどの工具を係止部材に引っかけて、係止部材を回転させなければならない。このとき、工具の鋭利な先端によって一方のバンドの上面を傷つけやすい。
このように発生する傷によって、バンドの美観、ひいては装身具の美観が致命的に損なわれるという問題がある。
【００１１】
（課題２）
また、一方のバンドが挿通枠に挿通されていない状態では、係止部材７は、自重によって回転し、係止部材の係止歯が挿通枠の底板に当接している。よって、挿通枠の底板と係止部材との間に一方のバンドを挿通するためには、使用者は、図１６における二点鎖線で描かれた位置まで、係止部材７を上方に向けて指で回転させなければならない。
よって、一方のバンドを挿通枠に挿通するのに手間がかかるので、バンドの長さ調整が容易ではない。
【００１２】
（課題３）
また、一方のバンドを挿通枠に挿通するために、前述のように、使用者は係止部材を指で支持しなければならないので、係止部材の係止歯が、使用者の指を傷つけることがある。
【００１３】
（課題４）
また、係止部材が一方のバンドの上方に位置して露出するため、意図しない外力が係止部材に負荷しやすい。このような外力によって、不用意に係止部材が回転して、一方のバンドと挿通枠との係止が外れることがある。すると、使用者の意に反して、挿通枠から一方のバンドが抜脱してしまう。
【００１４】
（課題５）
さらに、係止部材が一方のバンドの上方に位置して露出するため、この係止部材によって、中留の美観、ひいては装身具の美観が損なわれる。特に、係止部材の係止歯が一方のバンドの上面に視認されるので、装身具の高級感が著しく損なわれる。
【００１５】
本発明は、上述の欠点を解消するものであり、その目的は以下の通りである。
（１）本発明の第１の目的は、美観を長期にわたり維持できる、バンドの長さを調整できる中留、およびそれを備える帯状装身具を提供することである。
（２）本発明の第２の目的は、使用者の指を痛めることがない、バンドの長さを調整できる中留およびそれを備える帯状装身具を提供することである。
（３）本発明の第３の目的は、操作が容易である、バンドの長さを調整できる中留、およびそれを備える帯状装身具を提供することである。
（４）本発明の第４の目的は、バンドを強固に保持できる、バンドの長さを調整できる中留、およびそれを備える帯状装身具を提供することである。
（５）本発明の第５の目的は、高級感のある外観を呈する、バンドの長さを調整できる中留、およびそれを備える帯状装身具を提供することである。
【課題を解決するための手段】
【００１６】
上記目的を達成するため、本発明における帯状装身具の中留は、特許請求の範囲における請求項１に記載された通り、
「一方のバンドが挿通される挿通枠と、
挿通枠に対して一方のバンドを係止する係止部材と、
挿通枠と他方のバンドとの間に連結され、挿通枠に対して折り畳まれ、かつ拡開される折り畳み部と、
折り畳み部を折り畳んだ状態で保持する錠止手段と、
を備える中留であって、
挿通枠は、一方のバンドの開放端が挿入される入口と、一方のバンドの開放端が外方に送出される出口と、挿通枠の内部における入口と出口との間に配置される案内部材と、を含み、
係止部材が一方のバンドの下方に位置して、一方のバンドの下面に当接して係合し、
案内部材が、入口から出口へと通過する一方のバンドを挿通枠と折り畳み部との枢軸部に突き当たらないように案内する」ものである。
【００１７】
これにより、係止部材は一方のバンドの下面に係合するので、一方のバンドの下面は傷つこうとも、一方のバンドの上面は決して傷つかない。帯状装身具が、身体、たとえば手首
に装着された状態では、一方のバンドの下面は手首の外周面に接して、外方からは視認されない。よって、一方のバンドの下面に発生する傷によって、帯状装身具の美観が致命的に損なわれることはない。
また、使用者が、係止部材を一方のバンドから離間させるために工具を用いても、その工具によって一方のバンドの下面は傷つこうとも、一方のバンドの上面は決して傷つかない。
このように、本発明における帯状装身具の中留は、バンドの美観、ひいては帯状装身具の美観を長期にわたり維持できる。
また、一方のバンドを挿通枠に挿通する操作が、案内部材によって容易になるので、バンドの長さ調整に手間がかからない。
よって、本発明における帯状装身具の中留は、バンドの長さを容易に調整できる。
【００１８】
中留の折り畳み部の構成する部品は、折り畳み型の中留が採用できる様々な形態に合わせて、様々に変わる。たとえば、挿通枠に連結される下板、下板に連結される中板、中板と他方のバンドに連結される表カバーとが折り畳み部となる場合がある。また、下板と挿通枠が一体であれば、中板と表カバーが折り畳み部となる。あるいは、表カバーが省かれて、他方のバンドが中板に直接連結されれば、下板と中板とが折り畳み部となる。さらに、これらの形態を組み合わせた折り畳み部が採用される。
【００１９】
錠止手段は、折り畳み部を折り畳んだ状態で保持できれば、どのような手段であってもかまわない。たとえば、折り畳み部の表カバーを下板に係止する手段であっても、表カバーを挿通枠に係止する手段であってもかまわない。
この錠止手段として、ボタンを備え、かつ、このボタンのバンドの幅方向に沿った押圧やバンドの長手方向に沿った滑動によって、折り畳み部の錠止が解除される手段を採用してもよい。
このようなボタン式錠止手段として、たとえば、ＷＯ００／６９３０１号、特開２００
０−２０１７１０号、特開平１０−１９２０１５号、特開平１０−５７１２３号、特開平１０−５０１５号、特開平９−３２０号、実開平７−３６７１９号、実開平６−４６５１３号、あるいは実開平６−１９５２７号などに開示された手段を採用できる。
この錠止手段におけるボタンは、折り畳み部の表カバーに取り付けられても、下板に取り付けられてもかまわない。
【００２０】
また、本発明における帯状装身具の中留は、
「挿通枠は、上部を覆う天井壁と、挿通枠に挿通された一方のバンドを挟んで対向するように天井壁から垂下する両側壁とを備え、
この挿通枠の内側に係止部材と案内部材が配置される」ことが好ましい。
【００２１】
これにより、天井壁と２つの側壁に囲まれた挿通枠の内部に係止部材と案内部材が位置するので、係止部材と案内部材は、上方からも、横からも視認されない。特に、帯状装身具が、身体、たとえば手首に装着された状態では、係止部材は、手首の外周面と挿通枠に囲まれるので、外方からはほとんど視認されない。よって、本発明における帯状装身具の中留は、高級感のある外観を呈することができる。
さらに、挿通枠の内部に位置する係止部材には、意図しない外力が負荷されにくい。よって、このような外力によって、係止部材と一方のバンドとの係合が外れる危険が削減されるので、本発明における帯状装身具の中留は、一方のバンドを挿通枠に強固に保持できる。
【００２４】
また、本発明の帯状装身具の中留においては、
「係止部材が挿通枠に回転可能に取り付けられ、
挿通枠の入口が、挿通枠の天井板と係止部材との間の隙間であり、
一方のバンドが挿通枠に挿通されていない状態において、係止部材は自重によって回転して、挿通枠の入口を塞がないように挿通枠にぶら下がる」ことが好ましい。
【００２５】
これにより、一方のバンドが挿通枠に挿通されていない状態において、使用者が係止部材を操作せずとも、一方のバンドが挿入できるように挿通枠の入口は常に開口する。一方のバンドを挿通枠に挿通させるために、使用者は、従来のように、係止部材を指で支持しなくともよい。
よって、本発明における帯状装身具の中留においては、一方のバンドを挿通枠に挿通する操作が容易であり、バンドの長さ調整に手間がかからない。
さらに、係止部材が係止歯のような鋭利な突起を備えようとも、使用者は係止部材を触らなくともよいので、使用者の指が係止部材との接触によって傷つくこともない。
【００２６】
また、本発明の帯状装身具の中留においては、
「挿通枠の入口は出口より上方に位置し、
挿通枠の出口は折り畳み部の下方に開口し、
案内部材は、入口から出口に向かう方向に沿って、下方に向けて傾斜する面を有する部材である」ことが好ましい。
これにより、一方のバンドを挿通枠に挿通する操作が容易になるばかりか、一方のバンドが折り畳み部材の下板の下方まで確実に導かれる。
【００２７】
また、本発明の帯状装身具の中留においては、
「案内部材が、挿通枠の内部に回転可能に取り付けられ、
一方のバンドが挿通枠に挿通されていない状態において、案内部材が係止部材の上部に当接する」ことが好ましい。
これにより、一方のバンドが挿通枠に挿通されていない状態においても、係止部材は案内部材によって覆われるので、外方からほとんど視認されない。よって、本発明における帯状装身具の中留は、高級感のある美観を呈する。
【００２８】
また、この場合、
「係止部材は、一方のバンドと当接する当接部を含み、
案内部材が、係止部材の当接部を覆うように、係止部材に当接する」ことが好ましい。
これにより、一方のバンドが挿通枠に挿通されていない状態においても、係止部材の当接部は案内部材によって覆われるので、使用者が誤って当接部に触れることがない。よって、係止部材の当接部が係止歯のような鋭利な突起を備えようとも、使用者の指が当接部との接触によって傷つくことがない。
【００２９】
また、本発明の帯状装身具の中留においては、
「案内部材が、折り畳み部の下板と挿通枠とを連結する連結ピンによって、挿通枠に回転可能に取り付けられる」ことが好ましい。
これにより、部品点数を増やすことのなく、かつ組み立て工数を増やすことのなく、案内部材は挿通枠に回転可能に取り付けられる。この場合、下板と、挿通枠と、案内部材とが、１本の連結ピンによって同軸に連結される。
【発明の効果】
【００３５】
以上、説明したごとく、本発明は下記の効果を奏する。
（１）本発明によれば、美観を長期にわたり維持でき、かつバンドの長さを調整できる中留、およびそれを備える帯状装身具が提供される。
（２）本発明によれば、使用者の指を痛めることがない、バンドの長さを調整できる中留およびそれを備える帯状装身具が提供される。
（３）本発明によれば、操作が容易である、バンドの長さを調整できる中留、およびそれを備える帯状装身具が提供される。
（４）本発明によれば、バンドを強固に保持できる、バンドの長さを調整できる中留、およびそれを備える帯状装身具が提供される。
（５）本発明によれば、高級感のある外観を呈する、バンドの長さを調整できる中留、およびそれを備える帯状装身具が提供される。
【発明を実施するための最良の形態】
【００３６】
以下、本発明の最良の実施形態について説明するが、本発明は、これらの実施形態により何ら限定されるものではない。
【実施例１】
【００３７】
図１は本発明の実施例１による中留を示す斜視図、
図２はバンドの長さ調整装置を示す斜視図、
図３はバンドの長さ調整装置を下から見て示す分解斜視図、
図４は係止部材のみを外して下から見て示す斜視図である。
【００３８】
図１は本発明に係わる中留を示す。
この中留は、バンドの長さ調整装置２０と折り畳み部２１とを含む。
図２と図３に示されるように、長さ調整装置２０は、挿通枠２２を備える。挿通枠２０は、天井壁２２ａ、および天井壁２２ａの両縁よりバンドの幅方向に対向するように垂下
する両側壁２７とを含む。よって、挿通枠２２は、断面逆Ｕ字型を成す。
挿通枠２２の内部の下方に係止部材２３が取り付けられる。また挿通枠２２の内部の上方に案内部材としての案内板２４が取り付けられる。係止部材２３と案内板２４とは、上下方向に間隔をおいて挿通枠２２に取り付けられる。
【００３９】
図４に示されるように、係止部材２３は、長辺と短辺から成るＬ字型の板片として図示される。係止部材２３は、長辺の操作部２５と、操作部２５の基部より直角に上方へ屈折した、短辺の係止部２６とを含む。係止部２６の上端縁には、バンドと当接する当接部として、鋸歯状係止歯２６ａが形成される。
係止部２６の両端に、枢軸となる突起２６ｂがバンドの幅方向に沿って突出する。この突起２６ｂが、挿通枠２２の側壁２７に形成された円孔２７ａに挿入する。
よって、係止部材２３が挿通枠２２の内側に回動可能に支持される。係止部材２３は、挿通枠２２の天井壁２２ａと２つの側壁２７に囲まれた内部に位置するので、係止部材２２は、中留の上方からも、横からも視認されない。
【００４０】
連結ピン３０が、挿通枠２２、案内板２４、および下板２８を同軸に枢軸する。すなわち、挿通枠２２は、三つ折れ中留の形態を成す折り畳み部２１における下板２８の一端に、連結ピン３０によって、回転可能に連結される。この連結ピン３０によって、案内板２４の一端部が挿通枠２２の内部に回転可能に連結される。
挿通枠２２の天井壁２２ａと係止部材２３とが、上下方向に沿って対向する。天井壁２２ａと係止部材２３の間の上下方向に沿ったの隙間が、一方のバンド２９が挿入される入口３１として形成される。この入口３１に、案内板２４の他端部２４ａが位置するように、案内板２４は挿通枠２２の内側に配置される。
【００４１】
図３と図４に示されるように、挿通枠２２は、側壁２７よりバンド長手方向に沿って延びる２つの延長側壁部２７ｂを備える。２つの延長側壁部２７ｂは、下板２８の下方に位置して、バンドの幅方向に沿って対向する。２つの延長側壁部２７ｂそれぞれの下部が、内方に向けて直角に屈曲されて、バンドの幅方向に沿って対向する、一対の支持部３２が形成される。一対の支持部３２の間に、切欠部３２ａが形成される。支持部３２は、下板２８の下方に位置する。図６に示すように、係止部材２３が挿通枠２２に対して回転すると、係止部材２３の操作部２５は、支持部３２と略同一平面に位置できる。
【００４２】
連結ピン３０の下方、詳しくは連結ピン３０によって挿通枠２２と案内板２４と下板２８が連結された枢軸部と、支持部３２との間の上下方向の隙間が、挿通枠２２に挿通された一方のバンド２９の出口３１ａとして図示される。
このため、案内板２４の一端部は、出口３１ａの上方に位置するように挿通枠２２に軸支され、案内板２４の他端部２４ａは、入口３１内を回動する。案内板２４の他端部２４ａは、上方に回転すると、挿通枠２２の天井壁２２ａに当接し、下方に回転すると、係止部材２３に当接する。この入口３１の範囲内で、案内板２４の他端部２４ａは回動する。
図６に示すように、出口３１ａは入口３１より下方に位置している。
【００４３】
挿通枠２２に連結された折り畳み部２１は、下板２８、中板３３、および表カバー３７とを備える。
図１、図７、及び図８に示すように、他方のバンド３５の一端が、ばね棒３６によって、表カバー３７の一端に、回動可能に取り付けられる。表カバー３７の他端には、ピン３８によって、中板３３の一端が回動可能に連結される。中板の他端は、ピン４０によって、下板２８の一端に回動可能に連結される。下板２８の他端は、前述のように、挿通枠２２に回動可能に連結される。
折り畳み部２１を折り畳んだ状態で保持する錠止手段を成す錠止装置３４が、折り畳み部２１に備えられる。
【００４４】
表カバー３７は、天井壁の両縁より、バンドの幅方向に対向するように垂下する２つの側壁４１を備える。この側壁４１それぞれには、プッシュボタン４５それぞれが挿入される細長い開口４３が形成される。
表カバー３７内には、開口４３の外周に沿う断面形状を有するガイドハウジング４４が配置される。ガイドハウジング４４内に、一対のプッシュボタン４５がバンドの幅方向に沿って摺動可能に挿入される。ガイドハウジング４４内には、プッシュボタン４５の間に設けられ、プッシュボタン４５それぞれを表カバー３７の外方に付勢する一対のスプリング４６が設けられる。
両プッシュボタン４５は、点対称の形状を成す。各プッシュボタン４５は、表カバー３７の開口４３より突出する操作突起４７と、表カバー３７内に位置するＬ形のフック４８とを有する。
【００４５】
ロックピン５０が下板２８の上面に突設される。ロックピン５０は、下板２８に取り付けられる軸部と、この軸部の開放端に形成される突出係合部５０ａとを含む。突出係合部５０ａは、軸部の径方向に沿って、軸部より外方にフランジ状に張り出す。
折り畳み部２１を折り畳んで閉じた状態においては、このロックピン５０が、中板３３に貫通された開口５２と、表カバー３７に取り付けられたガイドハウジング４４の下面を貫通する開口５１とを通過する。
よって、各プッシュボタン４５のフック４８それぞれが、ガイドハウジング４４内に突出したロックピン５０の頂部の突出係合部５０ａに引っかかって係合する。すると、折り畳み部２１が折り畳まれた状態で保持される。
【００４６】
この錠止状態において、各プッシュボタン４５が、スプリング４６の付勢に抗して、表カバー３７内に向けて押されれば、各プッシュボタン４５のフック４８それぞれが、ロックピン５０より離間する。よって、各プッシュボタン４５とロックピン５０の係合が解除されて、折り畳み部２１は解錠される。すると、折り畳み部２１は、再び拡開できるようになる。
このように、表カバー３７に配置されたプッシュボタン装置と、下板２８のロックピン５０が、折り畳み部２１の錠止装置を構成する。
【００４７】
次に本発明による装置の操作について説明する。
図８は、挿通枠２２内に一方のバンド２９が挿入される前の状態を示す側面図、
図９は一方のバンド２９が挿入された後の状態を示す側面図である。
この図によれば、一方のバンド２９を連結する前に、折り畳み部２１は折り畳まれる。図８において、表カバー３７が下板２８に対して押し下げられることにより、プッシュボタン４５のフック４８がロックピン５０の係合部５０ａを乗り越えて、係合部５０ａの下方に係止される。よって、折り畳み部２１が錠止される。
【００４８】
図８に示されるように、バンド２９が挿入される前は、係止部材２３は自重により挿通枠２２より下垂する。係止部材２３の長辺の操作部２５は、短辺の係止部２６より重いため、係止部材２３は、操作部２５を下方にして挿通枠２２より垂れ下がる。
この状態において、係止部材２３の係止部２６の先端は、挿通枠２２の内側を向き、下板２８と対向する。よって、係止部材２３の鋸歯状係止歯２６ａが、使用者の指に接触する危険が削減される。
【００４９】
さらに、案内板２４の他端部２４ａが、自重によって回転して、係止部材２３の係止歯２６ａの上方に、係止歯２６ａを覆うように当接する。案内板２４が係止部材２３を遮蔽して、挿通枠２２の入口３１からも係止部材２３は視認されない。よって、係止部材２３によって、中留の美観が損なわれることはない。さらに、案内板２４によって係止部材２３
の係止歯２６ａは完全に覆われるので、係止歯２６ａが使用者の指に接触することはない。
【００５０】
使用者が、バンド２９を挿通枠２２に挿入するには、まず、案内板２４を指で持ち上げ、入口３１を開く。そして、図９に示されるように、バンド２９を案内板２４と係止部材２３との間に挿入する。このとき、バンド２９は支持部３２によって支持される。
バンド２９は、案内板２４によって導かれて、挿通枠２２の出口３１ａに達する。使用者は、案内板２４による案内により、入口３１から出口３１ａまでバンド２９を容易に挿通できる。
さらに、バンド２９は、出口３１ａを通過して、一対の支持部３２の上方を通過する。バンド２９は、支持部３２に支持されて、確実に下板２８の下方に導かれる。
【００５１】
この状態で、使用者は、たとえば自分の腕に腕時計を装着する。そして、使用者は、自分の腕の周長に合わせて、バンド２９と挿通枠２２の相対的な位置を決める。
次に、図１０における矢印に示されるように、使用者は、係止部材２３の操作部２５を上方に回転させる。すると、係止部材２３の係止歯２６ａが、バンド２９の下面に圧接して喰い込む。よって、バンド２９が挿通枠２２に係止される。
係止部材２３の係止歯２６ａが係合するためには、バンド２９と３５は、合成皮革、天然皮革、合成樹脂、あるいはゴムなどのように、可撓性のある素材や柔軟な素材から作成されることが好ましい。
この状態において、図示されるように、係止部材２３の操作部２５は、支持部３２と略同一平面に位置する。よって、中留の装着感が滑らかになる。
【００５２】
腕時計の周長が手首に合わなければ、使用者は、上記の逆の手順に従って操作する。使用者は、係止部材２３を回転させて、バンド２９の下面より係止歯２６ａを離間させる。すると、再び挿通枠２２に対してバンド２９が移動できるようになる。よって、使用者は、バンド２９を緩めて、長さを再調整した後、再びバンド２９を挿通枠２２に係止すればよい。
このように、係止歯２６ａの当接によって傷つくのは、バンド２９の下面のみであるため、常に使用者の目に触れるバンドの上面の美観は損なわれない。
また、挿通枠２２の内部に位置する係止部材２３には、意図しない外力が負荷されにくい。よって、このような外力によって、係止部材２３が不用意に回転して、一方のバンド２９が挿通枠２２から抜脱する危険が削減される。
【００５３】
図１１は係止部材２３を緩める操作を示す。
前述のように、バンド２９を挿通枠２２に対して緩めるために、係止部材２３を回転させて、係止部材２３の係止歯２６ａをバンド２９の下面から離間させる。この係止部材２３を回転させる操作に、ドライバーなどの先端の尖った工具５５が用いられてもよい。
図に示されるように、係止部材２３の操作部２５における端縁に工具挿入溝５４が形成される。この工具挿入溝５４は、操作部２５の外方に開口するように、操作部２５を上下に貫通して切り欠けられる。工具挿入溝５４は、隣接する支持部３２の切欠部３２ａと連続するように向き合って位置する。
【００５４】
係止部材２３を回転させて緩めるには、使用者は、工具５５の先端を工具挿入溝５４内に挿入する。このとき、工具５５の先端を支持部３２の切欠部３２ａを通せば、使用者は、工具５５を工具挿入溝５４内に容易に挿入できる。また、工具５５との接触により、支持部５５が傷つくことはない。
そして、バンド２９の下面との接点を支点として工具５５を持ち上げれば、係止部材２３は突起２６ｂを中心として、図１１において反時計方向に回動する。すると、係止部材２３の係止歯２６ａがバンド２９より離れる。
【００５５】
この操作において、工具５５によって、一方のバンド２９の下面は傷つこうとも、常に使用者の目に触れる一方のバンド２９の上面は決して傷つかない。また、使用者が誤って工具５５を滑らせても、工具５５は支持部３２の切欠部３２ａに当接するので、工具５５との接触により、支持部５５が傷つくことはない。
【００５６】
図１２は、実施例１の変形例を示す側面図で、案内板２４が設けられていない。
この図によれば、挿通枠２２にバンド２９が挿通されていない状態において、係止部材２３の長辺の操作部２５は、挿通枠２２の入口３１を塞がないように挿通枠２２にぶら下がる。よって、使用者は、入口３１からバンド２９を挿通枠２２内に極めて容易に挿通させることができる。使用者は、従来の中留のように、係止部材２３を触らなくともよいので、使用者の指が係止部材２３の係止歯２６ａとの接触によって傷つくこともない。
【実施例２】
【００５７】
図１３は本発明の実施例２を示す。
図示される中留の案内板５６は、実施例１における案内板２４より、厚み方向、すなわち図面の上下方向に沿った厚さが厚く構成される。他の部分は実施例１と同じでそれと同一符号を付して説明を省略する。
案内板５６が厚いので、挿通枠２２におけるバンドが挿通される隙間、すなわち、案内板５６と係止部材２３との上下間の隙間や、案内板５６と支持部３２との上下間の隙間が、実施例１におけるそれらよりも狭い。これにより、この中留には、実施例１におけるバンド２９より薄いバンド５７が採用される。この案内板の厚みを変えることが、挿通枠に挿通されるバンドの厚み寸法を調整する調整手段を構成する。
【実施例３】
【００５８】
この実施例では、図１４と１５が参照される。図１４は実施例３による中留を示す切断側面図、図１５はその中留の要部を示す斜視図である。
この中留においては、実施例１における係止部材２３及び係止歯２６ａの構造が変更される。係止部材６０の操作部６１の基部は、断面瓢箪型に湾曲されて、筒部６２と係止突起６３が形成される。筒部６２にはピン６４が挿入固定される。ピン６４の両端が、挿通枠２２の側壁２７の孔２７ａに挿入される。よって、係止部材６０が挿通枠２２の内側に回動可能に支持される。
【００５９】
一方、バンド６５の下面には、係止突起６３が係合する多数の挿入溝６６が列設される。挿入溝６６は、バンドの幅方向に沿って、バンド６５の下面に凹設される。このようなバンド６５は、合成樹脂やゴムなどで作成されることが好ましい。
その他の部材は、実施例１と同じであり、実施例１と同一符号が付される。
【００６０】
折り畳み部６７には、実施例１に用いられたものとは異なる錠止装置が採用される。
折り畳み部６７を折り畳んで閉じた状態において、表カバー６８が連結される中板７０の円筒部７０ａが、下板７１から立ち上げられた係止爪７２に引っかかる。これにより、折り畳み部６７が折り畳んだ状態に保持される。中板７０の円筒部７０ａと下板７１の係止爪７２との係合が、錠止装置を構成する。表カバー６８を上方に引っ張り上げれば、円筒部７０ａが係止爪７２から離間して、折り畳み部６７が拡開する。
【００６１】
挿通枠２２にバンド６５を係止する操作は、実施例１と同じである。係止部材６０を回転させれば、係止突起６３が溝６６に挿入されて係合する。使用者は、複数の挿入溝６６の中から、自分の手首の周長に合った長さとなる溝を選んで、係止部材６０に係合させる。よって、挿通枠２２にバンド６５が係止される。
【図面の簡単な説明】
【００６２】
【図１】本発明の実施例１による中留を示す斜視図である。
【図２】長さ調整装置の斜視図である。
【図３】バンドの長さ調整装置を下から見て示す分解斜視図である。
【図４】係止部材のみを外して下から見て示す斜視図である。
【図５】長さ調整装置を下から見た斜視図である。
【図６】中留の切断側面図である。
【図７】中留の切断平面図である。
【図８】中留の操作を示す切断側面図である。
【図９】中留の操作を示す切断側面図である。
【図１０】中留の操作を示す切断側面図である。
【図１１】係止部材の緩め操作を示す斜視図である。
【図１２】実施例１の変形例を示す切断側面図である。
【図１３】実施例２を示す切断側面図である。
【図１４】実施例３を示す切断側面図である。
【図１５】その斜視図である。
【図１６】従来の中留を示す切断側面図である。
【図１７】係止部材を示す斜視図である。
【符号の説明】
【００６３】
１  挿通枠
２  下板
３  中板
４  表カバー
５  折り畳み部
６  バンド
７  係止部材
８  ピン
１０  当接部
１１  係止歯
１２  バンド
１３  連結円筒部
１４  係止爪
１５  入口
１６  出口
２０  長さ調整装置
２１  折り畳み部
２２  挿通枠
２２ａ  天井壁
２３  係止部材
２４  案内板
２４ａ  他端部
２５  操作部
２６  係止部
２６ａ  鋸歯状係止歯
２６ｂ  突起
２７  側壁
２７ａ  円孔
２７ｂ  側壁部
２８  下板
２９  バンド
３０  ピン
３１  入口
３１ａ  出口
３２  支持部
３２ａ  切欠部
３３  中板
３４  錠止装置
３５  バンド
３６  ばね棒
３７  表カバー
３８  ピン
４０  ピン
４１  側壁
４３  開口
４４  ガイドハウジング
４５  プッシュボタン
４６  スプリング
４７  操作突起
４８  フック
５０  ロックピン
５０ａ  突出係合部
５１  開口
５２  開口
５４  工具挿入溝
５５  工具
５６  案内板
５７  バンド
６０  係止部材
６１  操作部
６２  筒部
６３  係止突起
６４  ピン
６５  バンド
６６  挿入溝
６７  折り畳み部
６８  表カバー
７０  中板
７０ａ  円筒部
７１  下板
７２  係止爪
【図１】
0004647221.tif 000002
【図２】
0004647221.tif 000003
【図３】
0004647221.tif 000004
【図４】
0004647221.tif 000005
【図５】
0004647221.tif 000006
【図６】
0004647221.tif 000007
【図７】
0004647221.tif 000008
【図８】
0004647221.tif 000009
【図９】
0004647221.tif 000010
【図１０】
0004647221.tif 000011
【図１１】
0004647221.tif 000012
【図１２】
0004647221.tif 000013
【図１３】
0004647221.tif 000014
【図１４】
0004647221.tif 000015
【図１５】
0004647221.tif 000016
【図１６】
0004647221.tif 000017
【図１７】
0004647221.tif 000018